(57)【特許請求の範囲】
【請求項１】
被検査対象の表面の欠陥を検査する装置であって、
前記被検査対象に向けて照射光を照射する投光手段と、
前記被検査対象の表面において反射した反射光を受光する撮影手段と、を備えており、
前記投光手段は、
光源と、
該光源と前記被検査対象との間に設けられており、前記光源から前記被検査対象に照射される光を制限する遮光部材と、を備えており、
前記撮影手段は、複数の受光素子からなる撮像部と、前記反射光を集光して前記受光素子に入射させるレンズとからなり、
前記遮光部材は、複数の遮光プレートを有しており、
該複数の遮光プレートは、隣接する遮光プレート同士が、互いに間隔を開けた状態で配設されたものであって、隣接する遮光プレート間に複数のスリットが形成されており、
該複数のスリットは、該スリットを通過した光が前記レンズに集中する向きに形成されており、かつ前記被検査対象の表面が平坦面である場合において、前記被検査対象の表面で反射する光のうち正反射光が前記受光素子に入射し、乱反射した反射光はどの受光素子にも入射しないように形成されている
ことを特徴とする欠陥検査装置。
【請求項２】
前記複数の遮光部材は、
その表面に反射防止処理が施されており、
隣接する遮光プレート同士が、反射防止処理が施された表面同士を対向させた状態となるように配設されている
ことを特徴とする請求項１記載の欠陥検査装置。
【請求項３】
前記複数の遮光プレートは、前記受光素子の受光方向に対する傾斜角度が調整可能に設けられている
ことを特徴とする請求項１または２記載の欠陥検査装置。
【発明の詳細な説明】
【技術分野】
【０００１】
本発明は、欠陥検査装置に関する。さらに詳しくは、梨地処理（マット処理）やヘアライン仕上げされた被検査対象の表面を光学的手法によって検査する欠陥検査装置に関する。
【背景技術】
【０００２】
表面が平滑な被検査対象において、その表面の欠陥、例えば、スジ状の傷などの検査には、光学的手法を用いた検査が行われている。かかる検査では、ＬＥＤ等の光源から発せられる光を被検査対象の表面に照射する。すると、被検査対象の表面が平滑な表面であれば、正常な表面では正反射のみが生じる一方、欠陥が存在する表面では、乱反射により散乱光が発生する。したがって、撮影手段によって被検査対象を撮影すれば、撮影された散乱光の強度に基づいて、傷等の欠陥の有無を判断することができる。
【０００３】
一方、ヘアライン仕上げをした金属表面のように細かな凹凸を有する表面は、この凹凸でも乱反射して散乱光が発生するため、散乱光の強度では、傷等の欠陥の有無を判断することは困難である。
【０００４】
かかるヘアライン仕上げをした金属表面において、表面に形成された傷等の欠陥を判別する技術が開発されている（特許文献１）。
特許文献１には、同じ列上に位置する複数の発光体を有する光源から被検査対象の表面に光を照射して欠陥を検出する装置が開示されており、各発光体の光軸から一定の範囲よりも外側の光のみが被検査対象の表面に照射されるように構成されている。このため、被検査対象に対して異なる方向から光を照射することができるので、均一な凹凸より深い凹凸欠陥を光らせることが可能となり、被検査対象の表面が、ヘアラインや梨地肌のような細かな凹凸を有する表面であっても、表面の傷などを検出することができる。
【０００５】
現在のところ、光学的方法を用いて、ヘアライン仕上げをした金属表面や梨地肌等の検査を行うことができる検査装置は、上述した特許文献１の技術しか見当たらないが、他の方法でもヘアラインや梨地肌のような細かな凹凸を有する表面の傷などを検出することができれば、好ましい。
【先行技術文献】
【特許文献】
【０００６】
【特許文献１】特許第４６３０９４５号公報
【発明の概要】
【発明が解決しようとする課題】
【０００７】
本発明は上記事情に鑑み、被検査対象の表面が平坦面であっても、また表面に細かな凹凸を有する部材であってもその表面の欠陥を検出できる欠陥検査装置を提供することを目的とする。
【課題を解決するための手段】
【０００８】
第１発明の欠陥検査装置は、被検査対象の表面の欠陥を検査する装置であって、前記被検査対象に向けて照射光を照射する投光手段と、前記被検査対象の表面において反射した反射光を受光する撮影手段と、を備えており、前記投光手段は、光源と、該光源と前記被検査対象との間に設けられており、前記光源から前記被検査対象に照射される光を制限する遮光部材と、を備えており、前記撮影手段は、複数の受光素子からなる撮像部と、前記反射光を集光して前記受光素子に入射させるレンズとからなり、前記遮光部材は、複数の遮光プレートを有しており、該複数の遮光プレートは、隣接する遮光プレート同士が、互いに間隔を開けた状態で配設されたものであって、隣接する遮光プレート間に複数のスリットが形成されており、該複数のスリットは、該スリットを通過した光が前記レンズに集中する向きに形成されており、かつ前記被検査対象の表面が平坦面である場合において、前記被検査対象の表面で反射する光のうち正反射光が前記受光素子に入射し、乱反射した反射光はどの受光素子にも入射しないように形成されていることを特徴とする。
第２発明の欠陥検査装置は、第１発明において、前記複数の遮光部材は、その表面に反射防止処理が施されており、隣接する遮光プレート同士が、反射防止処理が施された表面同士を対向させた状態となるように配設されていることを特徴とする。
第３発明の欠陥検査装置は、第１または第２発明において、前記複数の遮光プレートは、前記受光素子の受光方向に対する傾斜角度が調整可能に設けられていることを特徴とする。
【発明の効果】
【０００９】
第１発明によれば、つぎの効果を奏する。
ａ）被検査対象の表面が平坦面の場合には、表面に傷などがなければ、スリットを通過して被検査対象の表面に到達した照射光は、被検査面で反射して対応する受光素子に正反射光が入射される。つまり、ある程度強度の強い正反射光が対応する受光素子に入射される。
一方、表面に傷があれば、その表面に照射された光は乱反射するので、表面に傷がない場合に比べて、正反射光の強度が弱くなり、受光素子に入射される光の強度（つまり受光素子に入射される正反射光の強度）が低下する。
したがって、被検査対象の表面が平坦面の場合には、撮影手段によって撮影された画像では、傷が形成されている部分は周囲に比べて暗くなるので、画像に基づいて被検査対象の表面の傷等を検出することができる。
ｂ）また、被検査対象の表面がヘアライン仕上げや梨地肌などの凹凸を有する面である場合には、表面に傷などがなければ、スリットを通過して被検査対象の表面に照射された光は、被検査対象の表面で乱反射され、対応する受光素子に入射される光（正反射光）は弱くなる。
一方、表面に傷が形成された場合、その部分が略平坦面になる。すると、略平坦面となった部分に照射された光は正反射するので、表面に傷がない場合に比べて、受光素子に入射される光の強度が増加する。
したがって、被検査対象の表面がヘアライン仕上げや梨地肌などの凹凸を有する面である場合には、撮影手段によって撮影された画像では、傷が形成されている部分は周囲に比べて明るくなるので、画像に基づいて被検査対象の表面の傷等を検出することができる。
ｃ）以上のようにして被検査対象の表面が平坦面であっても、また表面に細かな凹凸を有する部材であってもその表面の欠陥を検出できる。
第２発明によれば、遮光プレートの表面に反射防止処理が施されているので、遮光プレートの表面での反射した光に起因する欠陥検出精度の低下を防止することができる。
第３発明によれば、被検査対象が変更されたり、視野幅（受光距離）の変更が生じたりした場合でも、隣接する遮光プレート間に形成される隙間（スリット）を通過して被検査対象の表面で反射する光とが同方向となるように調整することができる。
【図面の簡単な説明】
【００１０】
【図１】本実施形態の欠陥検査装置１の概略説明図である。
【図２】本実施形態の欠陥検査装置１の概略側面図であり、（Ａ）は図１のII−II線概略矢視図であり、（Ｂ）は撮影手段２０の概略説明図である。
【図３】（Ａ）は本実施形態の投光手段１０の概略断面図であり、（Ｂ）は（Ａ）のＢ方向から見たときにおける投光手段１０における遮光部材１５の要部拡大概略説明図である。
【図４】本実施形態の欠陥検査装置１において、遮光プレート２１の角度を調整する作業の概略説明図である。
【図５】実施例の実験結果である。
【発明を実施するための形態】
【００１１】
本発明の欠陥検査装置は、被検査対象の表面を光学的手法により検査する欠陥検査装置であって、表面に形成された傷などを検出することができるものである。
とくに、ヘアラインのように規則的な細かな凹凸が形成された表面や、梨地肌のような細かな凹凸が形成された表面に発生した傷等の検出に適した装置である。
【００１２】
（欠陥検査装置１の説明）
本発明の欠陥検査装置は、被検査対象の表面に対して光を照射する投光手段に特徴を有しているが、まず、欠陥検査装置の全体的な構成を簡単に説明する。
【００１３】
図２において、符号Ｓは、本実施形態の欠陥検査装置１によって表面の欠陥が検査される被検査対象を示している。この被検査対象Ｓは、連続して搬送される、フィルムや金属等からなるシート状の部材などであるが、とくに限定されない。
【００１４】
図２に示すように、本発明の欠陥検査装置１は、被検査対象Ｓにおいて検査を行う表面側に、被検査対象Ｓの表面に対して光を照射する投光手段１０と、被検査対象Ｓの表面の検査位置ＤＬを撮影する撮影手段２０と、撮影手段２０によって撮影された信号に基づいて傷等の有無を判断する解析手段３０とを備えている。
なお、解析手段３０は、投光手段１０および撮影手段２０と電気的に接続されており、両者の作動を制御する機能も有している。
【００１５】
図２（Ｂ）に示すように、撮影手段２０は、撮像部２１と、レンズ２２を備えている。
撮像部２１は、投光手段１０から被検査対象Ｓの表面に照射された光（以下、照射光という）のうち被検査対象Ｓの表面で反射した光（以下、反射光という）を受光するものであり、例えば、ラインセンサ等のように複数の受光素子21sを有している。
レンズ２２は、反射光を集光して、撮像部２１の受光素子21sに集光した光を入射するものである。
【００１６】
この撮影手段２０は、被検査対象Ｓの表面が滑らかな面であれば、被検査対象Ｓの表面において照射光と等しい角度で反射される反射光（正反射光）が、レンズ２２によって集光されて各受光素子21sに入射されるように配設されている。この撮影手段２０における撮像部２１の受光素子21sが特許請求の範囲にいう受光部に相当する。
【００１７】
なお、撮像部２１がラインセンサ等のように複数の受光素子21sが並んで配設されているものの場合には、撮影手段２０は、複数の受光素子21sが並ぶ方向と被検査対象Ｓの幅方向とが平行となるように配設される。
また、撮影手段２０の撮像部２１は、受光素子21sを複数有するものに限られず、被検査対象Ｓの表面で反射した光を検出できる受光素子を有する機器であれば、とくに限定されない。
【００１８】
（投光手段１０）
つぎに、投光手段１０を詳細に説明する。
図１および図３において、符号１１は投光手段１０の光源を示している。この光源１１は被検査対象Ｓの幅方向（図１では左右方向、図２および図３（Ａ）では紙面に垂直な方向）に沿って延びたものであり、被検査対象Ｓの幅方向と平行な略線状の光を放出することができるものである。
図３（Ａ）に示すように、光源１１は光を放出する発光体11aを備えている。この発光体11aは、例えば、被検査対象Ｓの幅方向と平行に配設された棒状の蛍光灯や、被検査対象Ｓの幅方向に沿って複数のＬＥＤ素子（発光体）が一列に並んで配設された回路などをあげることができるが、とくに限定されない。
以下では、光源１１において、被検査対象Ｓの幅方向と平行な方向を光源１１の軸方向という。例えば、発光体11aが棒状の蛍光灯の場合であればその軸方向、また、ＬＥＤ素子が一列に並んで配設された発光体11aの場合であればＬＥＤ素子が並んでいる方向を、光源１１の軸方向という。
【００１９】
なお、検査精度を高める上では、被検査対象Ｓの走行方向（図１では上下な方向、図２および図３（Ａ）では左右方向）において、被検査対象Ｓに照射される光の幅ＷＤがあまり広くないほうが好ましい。被検査対象Ｓに照射される光における走行方向の幅ＷＤを制限する方法はとくに限定されないが、例えば、図３（Ａ）に示すような構造を有する光源１１を採用することができる。つまり、図３（Ａ）に示すように、光源１１に、ケース11bを設け、このケース11b内に蛍光灯やＬＥＤ素子等の発光体11aを収容する。そして、このケース11bに光を透過する光放出窓11cを形成して、この光放出窓11cを通して被検査対象Ｓに向けて照射させる。すると、被検査対象Ｓに照射される光における走行方向の幅ＷＤ、つまり、被検査対象Ｓの走行方向において、被検査対象Ｓに光が照射される範囲を制限することができる。
【００２０】
また、被検査対象Ｓの幅方向において、被検査対象Ｓに照射される光の強度のバラツキを小さくして、被検査対象Ｓに均一な強度の光を照射する上では、光源１１は、後述する遮光部材１５との間に、光を拡散して透過する散乱板などを備えていることが好ましい。例えば、図３（Ａ）に示すように、発光体11aをケース11bに収容して、このケース11bに光を透過する光放出窓11cを形成した場合には、この光放出窓11cとして、上述したような散乱板を設置することができる。
【００２１】
（遮光部材１５）
図１および図３に示すように、投光手段１０は、光源１１と被検査対象Ｓとの間に、遮光部材１５を備えている。この遮光部材１５は、光源１１から放出された光について、光源１１から被検査対象Ｓに照射される光を制限する機能を有するものである。
【００２２】
まず、遮光部材１５は、光源１１の軸方向に沿って延びたフレーム１６を備えている。このフレーム１６は、後述する複数の遮光プレート１７を支持するものであり、光源１１から放出される光と干渉しない位置（つまり、被検査対象Ｓ上に影を形成しない位置）に設けられている（図３（Ａ）参照）。
【００２３】
図１に示すように、フレーム１６には、光源１１の軸方向に沿って（言い換えれば、フレーム１６の軸方向に沿って）複数の遮光プレート１７が取り付けられている。この遮光プレート１７は、遮光部17aと、この遮光部17aをフレーム１６に固定する固定部17bとを備えている。
【００２４】
遮光部17aは、厚さが数ｍｍ程度の板によって形成された、略長方形の板状の部材であるが、その厚さおよび形状はとくに限定されない。
固定部17bは、軸状の部材であり、遮光部17aの側端取り付けられている。例えば、固定部17bの軸方向と遮光部17aの一辺とが略平行となるように、遮光部17aは固定部17bに取り付けられている。この固定部17bは、その軸方向の一端がフレーム１６に固定されている。具体的には、隣接する遮光プレート１７における遮光部17aの表面同士が互いに対向し、かつ、遮光部17aの表面間に光源１１から放出される光が通過できる程度の隙間（スリット15h）が形成されるように、各遮光プレート１７の固定部17bがフレーム１６に固定されている。
【００２５】
しかも、複数の遮光プレート１７は、各スリット15hを通過した光の正反射光が撮影手段２０の各受光素子21sにそれぞれ入射しうるように配設されている。具体的には、被検査対象Ｓの表面が平坦面である場合において、一のスリット15hを通過して被検査対象Ｓの表面で反射する反射光の方向ＲＬと、撮影手段２０の一の受光素子21sへ入射できる受光方向ＬＡとが一致して同軸となるように、複数の遮光プレート１７が配設されている。つまり、複数の遮光プレート１７は、一のスリット15hから被検査対象Ｓの表面に照射された光のうち、被検査対象Ｓの表面で正反射した光のみが特定の受光素子21s（対応する受光素子21s）に入射され、被検査対象Ｓの表面で乱反射した光はどの受光素子21sにも入射しないように配設されているのである。
【００２６】
例えば、図３（Ｂ）に示すように、隣接する遮光プレート17A〜Cが設けられている場合を考える。なお、図３（Ｂ）において、線ＳＬは、光源１１と各スリット15hの中心（具体的には、各スリット15hの先端における開口の中心ＳＣ）とを結んだ線を示している。つまり、光源１１から放出されスリット15hを通過する光のうち、各スリット15hの中心ＳＣを通過して被測定対象Ｓに照射される照射光を示している。言い換えれば、各スリット15hから被測定対象Ｓに照射される照射光の方向を示している。以下では、各スリット15hから被測定対象Ｓに照射される照射光の光軸を、単にスリット15hの方向ＳＬという。
【００２７】
図３（Ｂ）に示すように、光源１１から放出された光のうち、遮光プレート17A，17B間のスリット15haの方向SL1の方向に沿った光Ｌａは、スリット15haを通過して被検査対象Ｓの表面に到達する。
一方、スリット15haの方向SL1に対して傾斜した方向の光（図３（Ｂ）のＬｂ，Ｌｃ）は、遮光部17aによって遮られてスリット15haの開口から放出されず、被検査対象Ｓの表面に到達しない。
同様に、光源１１から放出された光のうち、遮光プレート17B，17C間のスリット15hbの方向SL2の方向に沿った光だけがスリット15hbを通過して被検査対象Ｓの表面に到達する。
すると、遮光部材１５によって、各スリット15hからは、その方向ＳＬの方向に沿った光のみが被検査対象Ｓの表面に照射光として照射されるので、この照射光が被検査対象Ｓの表面で反射された反射光の方向ＲＬと受光方向ＬＡとが同軸となる撮影手段２０の各受光素子21sにのみ、各スリット15hを通過した光が入射されることになるのである。
【００２８】
なお、被検査対象Ｓの表面で乱反射した光が、「どの受光素子21sにも入射しない」とは、「どの受光素子21sにも全く入射しない」という意味ではなく、乱反射した光が偶然に受光素子21sに入射したとしても、欠陥の検出精度に影響を与えない程度の光量しか受光素子21sに入射しないという意味である。
また、「各スリット15hからは、その方向ＳＬの方向に沿った光のみが被検査対象Ｓの表面に照射光として照射される」とは、「方向ＳＬに沿った光以外が全く被検査対象Ｓの表面に照射されない」という意味ではない。方向ＳＬの方向に沿った光以外が各スリット15hを通過して被検査対象Ｓの表面に照射されてその光の反射光が偶然に受光素子21sに入射したとしても、受光素子21sに入射される光量が、欠陥の検出精度に影響を与えない程度の光量にしかならない、という意味である。
【００２９】
投光手段１０が上記のごとき構成となっているので、本実施形態の欠陥検査装置１では、被検査対象Ｓの表面が平坦面である場合であっても、被検査対象Ｓの表面がヘアライン仕上げや梨地肌などの凹凸を有する表面であっても、その表面に形成された凹凸などの傷を検出することができる。
【００３０】
例えば、被検査対象Ｓの表面が平坦面の場合には、表面に傷などがなければ、スリット15hを通過して被検査対象Ｓの表面に到達した照射光は、被検査面で反射して対応する受光素子21sに正反射光が入射される。つまり、ある程度強度の強い正反射光が対応する受光素子21sに入射される。
一方、表面に傷があれば、その表面に照射された光は乱反射するので、表面に傷がない場合に比べて、正反射光の強度が弱くなり、受光素子21sに入射される光の強度（つまり受光素子21sに入射される正反射光の強度）が低下する。
したがって、被検査対象Ｓの表面が平坦面の場合には、撮影手段２０によって撮影された画像では、傷が形成されている部分は周囲に比べて暗くなるので、画像に基づいて被検査対象Ｓの表面の傷等を検出することができる。
【００３１】
また、被検査対象Ｓの表面がヘアライン仕上げや梨地肌などの凹凸を有する面である場合には、表面に傷などがなければ、スリット15hを通過して被検査対象Ｓの表面に照射された光は、被検査対象Ｓの表面で乱反射され、対応する受光素子21sに入射される光（正反射光）は弱くなる。
一方、表面に傷が形成された場合、その部分が略平坦面になる。すると、略平坦面となった部分に照射された光は正反射するので、表面に傷がない場合に比べて、受光素子21sに入射される光の強度が増加する。
したがって、被検査対象Ｓの表面がヘアライン仕上げや梨地肌などの凹凸を有する面である場合には、撮影手段２０によって撮影された画像では、傷が形成されている部分は周囲に比べて明るくなるので、画像に基づいて被検査対象Ｓの表面の傷等を検出することができる。
【００３２】
（遮光プレート１７について）
なお、遮光プレート１７は、板状の遮光部17aの表面に反射防止処理が施されていることが好ましい。
【００３３】
遮光部17aの表面で光が反射すると、その反射光もスリット15hを通過して被検査対象Ｓの表面に照射される。かかる光が被検査対象Ｓの表面に照射されると、その光があたかも正反射光（擬似正反射光）のように撮影手段２０の受光素子21sに入射する可能性がある。擬似正反射光とは、被検査対象Ｓの表面で反射された光のうち、その光の走行方向がたまたま受光素子21sの受光方向ＬＡと同軸となったものを意味している。
かかる擬似正反射光が受光素子21sに入射されると、この擬似正反射光の強度の分だけ、受光素子21sに入射される光の強度が強くなる。
【００３４】
すると、被検査対象Ｓの表面がヘアライン仕上げや梨地肌などの凹凸を有する面である場合、被検査対象Ｓの表面においてその受光素子21sが観察している部分に傷などの欠陥が存在していると誤って判断される可能性がある。
また、被検査対象Ｓの表面が平坦面である場合であれば、被検査対象Ｓの表面においてその受光素子21sの観察している部分に傷があったとしても、その部分に傷がないと誤って判断される可能性がある。つまり、被検査対象Ｓの表面欠陥の誤検出や見過ごしが生じる可能性がある。
したがって、遮光部17aの表面で反射してスリット15hを通過する光に起因する、被検査対象Ｓの表面における乱反射による検査ミスや欠陥検出精度の低下を防止する上では、遮光プレート１７は、板状の遮光部17aの表面に反射防止処理が施されていることが好ましい。
なお、板状の遮光部17aの表面に施す反射防止処理は、例えば、艶消塗装やエンボス加工などの方法を採用することができるが、とくに限定されない。
【００３５】
（遮光プレート１７の取り付けについて）
遮光プレート１７は、撮影手段２０、被検査対象Ｓの表面および投光手段１０の相対的な位置が一定であれば、遮光プレート１７はその固定部17bがフレーム１６に固定されていたり、固定部17bをフレーム１６に固定すると各遮光プレート１７の遮光部17aがフレーム１６の軸方向に対してそれぞれ所定の角度となるようになっていたりしてもよい。例えば、フレーム１６に所定の角度のスリットや孔を設けて、そのスリットや孔に固定部17を固定したり取り付けたりすると、各遮光プレート１７の遮光部17aの表面がフレーム１６の軸方向に対してそれぞれ所定の角度となるように形成してもよい。言い換えれば、撮影手段２０の受光素子21sの受光方向ＬＡ方向（つまり、受光素子21sの受光方向ＬＡを被検査対象Ｓの表面で正反射させた方向）に対する遮光部17aの表面の傾斜角度が所定の角度となるように形成してもよい。
【００３６】
しかし、フレーム１６の軸方向に対して、遮光プレート１７の遮光部17aの角度（つまり、撮影手段２０の受光素子21sの受光方向ＬＡ方向に対する遮光部17a表面の傾斜角度）が調整できるようになっていることが好ましい。この場合、被検査対象Ｓが変更された場合や最適な投光距離を検討する場合などに、正反射光のみが撮影手段２０の受光素子21sに入射されるように調整することができる、という利点が得られる。
【００３７】
例えば、固定部17bの基端に貫通穴を設け、フレーム１６にネジ穴を形成しておく。すると、固定部17bの貫通穴にボルトを通して、ボルトをフレーム１６のネジ穴に螺合して締め付ければ、固定部17bをフレーム１６に固定することができる。しかも、かかる構造の場合、ボルトを緩めた状態では、固定部17bを、その基端（つまり、ボルト）を支点として揺動させることができるので、フレーム１６に対する固定部17bの揺動角度、言い換えれば、遮光部17aの表面の角度を調整することができる。
【００３８】
また、遮光プレート１７の遮光部17aの角度を調整できるようにした場合、装置の作動中に遮光プレート１７の傾きがズレる可能性がある。かかるズレを防ぐ上では、フレーム１６によって遮光プレート１７の固定部17bにおける軸方向の両端を保持固定できる構造とすることが好ましい。
また、固定部17bを遮光部17aの一辺に設ける場合を説明したが、遮光部17aが矩形の場合には、固定部17bを互いに対向する一対の辺に設けてもよい。この場合には、遮光部17aの両端が固定されるので、遮光プレート１７の傾きのズレをより確実に防ぐことができる。
【００３９】
（遮光プレート１７の調整方法）
フレーム１６の軸方向に対して、遮光プレート１７の遮光部17aの角度が調整できるようになっている場合、各スリット15hの方向ＳＬに沿って各スリット15hを通過した光の正反射光を撮影手段２０の各受光素子21sに入光させるために、遮光プレート１７の遮光部17aの傾きを調整することが必要である。
例えば、以下のごとき方向によって遮光プレート１７の遮光部17aの傾きを調整することができる。
【００４０】
図４（Ａ）に示すように、まず、被検査対象Ｓを検査する状態において、撮影手段２０のレンズ２２の主点Ｈが配置される位置に、糸STの基端を設置する。
一方、投光手段１０は、本来設置される位置に対して被検査対象Ｓを挟んで対称の位置に設置する。
上記状態となると、糸ＳＴの先端部を各遮光プレート１７の取り付け位置にあわせて、糸ＳＴにたるみがない状態（張った状態）とする。
【００４１】
そして、図４（Ｂ）に示すように、各遮光プレート１７を、その遮光部17aの表面が糸ＳＴの軸方向と一致するように配置する。すると、各遮光プレート１７の表面間に形成されるスリット15hの方向ＳＬを撮影手段２０の各受光素子21sの受光方向と一致させることができる。
【００４２】
最後に、投光手段１０を検査の際に設置される位置に配置すれば、各スリット15hの中心ＳＣを通過した光の被検査対象Ｓの表面における正反射光ＲＬを、撮影手段２０の各受光素子21sの受光方向ＬＡと同軸にすることができる。
【００４３】
なお、遮光プレート１７の遮光部17aの取り付け角度を調整する方法はとくに限定されない。例えば、上記例では、糸ＳＴを利用したが、レーザ光を使用して調整することも可能である。レーザ光を使用して調整する場合には、被検査対象Ｓにおける検査位置（図１および図２ではＤＬの位置）に鏡等の反射部材を設けておき、この反射部材に対して撮影手段２０のレンズ２２の主点Ｈの位置からレーザ光等を照射する。すると、レーザ光は、受光素子21sの受光方向ＬＡと同軸な光線となるので、このレーザ光と各遮光プレート１７の遮光部17aの表面とが平行となるように調整する。すると、各スリット15hの中心ＳＣを通過した光の被検査対象Ｓの表面における正反射光の方向ＲＬを、撮影手段２０の各受光素子21sの受光方向ＬＡと同軸にすることができる。
【００４４】
【００４５】
（実験結果）
本発明の欠陥検査装置の効果を確認するために、遮光部材を設けた場合（実施例）と設けない場合（比較例）について、投光手段から放出される光の状況を比較した。
【００４６】
光源は、実施例、比較例とも同じ光源を使用した。
使用した光源は、一般的な棒状の蛍光灯をケース内に収容して、ケースの開口から光を放出する構造を有するものであり、実施例、比較例とも、ケースの開口の前面に遮光部材を配置した。
遮光部材は、上述した遮光プレートの調整方法によって、遮光プレートの表面を延長した面が投光手段の上方に設けられた焦点を通過するように配設した。
なお、遮光プレートには、表面に黒アルマイト加工を行って、表面での反射が少なくなるようにした板材を使用した。
【００４７】
実験結果を図５に示す。
図５（Ａ）に示すように、比較例では、投光手段から放出される光は、投光手段の軸方向（図５（Ａ）では左右方向）に沿って延びた長方形状になっていることが確認できる。
一方、図５（Ｂ）に示すように、実施例では、投光手段から放出される光は、投光手段の軸方向を底辺とする略三角形状になっており、スリットを通過した光が焦点の方向に向かうように、光の照射方向を調整できていることが確認できる。
【産業上の利用可能性】
【００４８】
本発明の欠陥検査装置は、表面に細かな凹凸を有する、梨地肌やヘアライン等を有する部材の表面検査に適している。
【符号の説明】
【００４９】
１      欠陥検査装置
１０      投光手段
１１      光源
１５      遮光部材
１５ｈ    スリット
１７      遮光プレート
２０      撮影手段
２１ｓ    受光素子
Ｓ      被検査対象
【図１】
0006038434.tif 000002
【図２】
0006038434.tif 000003
【図３】
0006038434.tif 000004
【図４】
0006038434.tif 000005
【図５】
0006038434.tif 000006